(57)【要約】      （修正有）【課題】電線接続の作業性を向上させる。【解決手段】ねじ端子によって締め付けられる端子板５１と、電線差込孔７４が形成された端子ブロック５２と、フェルールを端子板５１に押し付ける板ばね５３と、を備え、導電端子部材をねじ端子に締め付ければ、その後は、絶縁端子部材の電線差込穴７４に電線を差し込むだけで、ねじ端子に電線を電気的に接続することができる。したがって、この配線用接続器具を追加するだけで、ねじ端子への接続を差し込み方式に変換でき、電線接続の作業性を向上させることができる。【選択図】図６
2018156885.tif 000002
【特許請求の範囲】
【請求項１】
電気機器に設けられたねじ端子に電線を接続するための配線用接続器具であって、
導体からなり、前記ねじ端子によって締め付けられる導電端子部材と、
絶縁体からなり、前記導電端子部材が組み込まれ、前記電線を前記導電端子部材に導く電線差込部が形成された絶縁端子部材と、
導体からなり、前記絶縁端子部材に組み込まれ、前記電線差込部に差し込まれた前記電線を前記導電端子部材に押し付ける弾性部材と、を備えることを特徴とする配線用接続器具。
【請求項２】
絶縁体からなり、前記導電端子部材、前記絶縁端子部材、及び前記弾性部材を覆う外装部材を備えることを特徴とする請求項１に記載の配線用接続器具。
【請求項３】
前記外装部材は、前記電線差込部に対応する位置に、前記電線を差し込むための電線差込開口が形成されていることを特徴とする請求項２に記載の配線用接続器具。
【請求項４】
前記導電端子部材は、前記電線差込部の奥側に、前記電線の差し込み方向と平行な押付面を備え、
前記弾性部材は、基端側が前記絶縁端子部材に支持され、先端側が前記押付面に向かって付勢された板ばねからなり、
前記電線差込部に前記電線が差し込まれると、前記電線に押されて前記板ばねが弾性変形し、前記板ばねの先端と前記押付面との間に前記電線が差し込まれたときに、前記板ばねの弾性力によって前記電線が前記押付面に押し付けられ、且つ引き抜き方向の変位が抑制されることを特徴とする請求項３に記載の配線用接続器具。
【請求項５】
前記導電端子部材は、前記押付面を一端に有し、前記板ばねの基端部を支持する支持部を他端に有するコ字状からなる板ばね接続部を備えていることを特徴とする請求項４に記載の配線用接続器具。
【請求項６】
絶縁体からなり、前記導電端子部材、前記絶縁端子部材、及び前記弾性部材を覆う外装部材を備え、
前記絶縁端子部材には、工具を差し込むための工具差込部が形成され、
前記外装部材には、前記工具差込部に対応する位置に、前記工具を差し込むための工具差込開口が形成され、
前記工具差込部に前記工具が差し込まれると、前記工具に押されて前記板ばねが弾性変形し、前記板ばねの弾性力から解放されたときに、前記電線の引き抜きが許容されることを特徴とする請求項４又は５に記載の配線用接続器具。
【請求項７】
前記電線の先端には、カラー付きフェルールが圧着され、
前記絶縁端子部材には、前記電線差込部に前記電線を差し込んだ状態で、前記カラーを軸直角方向から目視可能な第一の切欠が形成され、
前記外装部材には、前記第一の切欠に対応する位置に、前記カラーを軸直角方向から目視可能な第二の切欠が形成されることを特徴とする請求項４〜６の何れか一項に記載の配線用接続器具。
【請求項８】
前記外装部材は、前記ねじ端子の上面を覆うことを特徴とする請求項２〜７の何れか一項に記載の配線用接続器具。
【請求項９】
前記外装部材に、電気機器側のねじ端子の工具挿入穴に係合される係合部を設けたことを特徴とする請求項８に記載の配線用接続器具。
【請求項１０】
請求項１〜９の何れか一項に記載の配線用接続器具を備えた電気機器。
【発明の詳細な説明】
【技術分野】
【０００１】
本発明は、配線用接続器具、及び電気機器に関するものである。
【背景技術】
【０００２】
特許文献１に示されるように、回路遮断器等の電気機器では、一般にねじ端子によって電線が接続される。
【先行技術文献】
【特許文献】
【０００３】
【特許文献１】特開２０１６−２１９３７５号公報
【発明の概要】
【発明が解決しようとする課題】
【０００４】
ねじ端子によって電線を接続する場合、配線を増やしたり入れ替えたりする必要が生じると、その度にねじを緩め再び締め付けなければならず、簡便さの点で改善の余地があった。
本発明の目的は、電線接続の作業性を向上させることである。
【課題を解決するための手段】
【０００５】
本発明の一態様に係る配線用接続器具は、
電気機器に設けられたねじ端子に電線を接続するための配線用接続器具であって、
導体からなり、ねじ端子によって締め付けられる導電端子部材と、
絶縁体からなり、導電端子部材が組み込まれ、電線を導電端子部材に導く電線差込部が形成された絶縁端子部材と、
導体からなり、絶縁端子部材に組み込まれ、電線差込部に差し込まれた電線を導電端子部材に押し付ける弾性部材と、を備える。
【発明の効果】
【０００６】
本発明によれば、導電端子部材をねじ端子に締め付ければ、その後は、絶縁端子部材の電線差込部に電線を差し込むだけで、ねじ端子に電線を電気的に接続することができる。したがって、この配線用接続器具を追加するだけで、ねじ端子への接続を差し込み方式に変換でき、電線接続の作業性を向上させることができる。
【図面の簡単な説明】
【０００７】
【図１】回路遮断器に付属の配線用接続器具を取り付けた状態を示す斜視図である。
【図２】回路遮断器への配線用接続器具の組み付け図である。
【図３】回路遮断器の側面図である。
【図４】負荷側における主回路端子の拡大図である。
【図５】延長スライダの斜視図である。
【図６】端子モジュールの斜視図である。
【図７】別角度から見た端子板の斜視図である。
【図８】別角度から見た端子ブロックの斜視図である。
【図９】端子カバーの斜視図である。
【図１０】配線用接続器具の断面図である。
【図１１】配線用接続器具の断面図である（電線差し込み後）。
【図１２】配線用接続器具の断面図である（工具差し込み後）。
【発明を実施するための形態】
【０００８】
以下、本発明の実施形態を図面に基づいて説明する。なお、各図面は模式的なものであって、現実のものとは異なる場合がある。また、以下の実施形態は、本発明の技術的思想を具体化するための装置や方法を例示するものであり、構成を下記のものに特定するものでない。すなわち、本発明の技術的思想は、特許請求の範囲に記載された技術的範囲内において、種々の変更を加えることができる。
【０００９】
《構成》
本実施形態では、電気機器に設けられたねじ端子に電線を接続するための配線用接続器具として、導体からなり、ねじ端子によって締め付けられる導電端子部材と、絶縁体からなり、導電端子部材が組み込まれ、電線を導電端子部材に導く電線差込部が形成された絶縁端子部材と、導体からなり、絶縁端子部材に組み込まれ、電線差込部に差し込まれた電線を導電端子部材に押し付ける弾性部材とを備えている。
図１は、回路遮断器に付属の配線用接続器具を取り付けた状態を示す斜視図である。
以下の説明では、空間内で互いに直交する三方向を、便宜的に、幅方向、縦方向、及び奥行方向とする。
回路遮断器１１は、直流及び交流の両用型で、低圧配電系統における各種回路の過負荷保護、及び短絡保護に使用されるものであり、ここでは一極型を示す。遮断方式は電磁式である。回路遮断器１１には、縦方向の一端側及び他端側に主回路端子があり、夫々の主回路端子に着脱可能な配線用接続器具１２を取り付けている。主回路端子は、縦方向の一端側が電源側（一次側又はライン側）で、縦方向の他端側が負荷側（二次側又はロード側）であり、配線用接続器具１２は、電源側も負荷側も同一構造である。
【００１０】
回路遮断器１１には、奥行方向の手前側から見た上面に、主回路を手動で開閉操作するためのハンドル１３が設けられており、このハンドル位置によってＯＮ／ＯＦＦの表示が識別できる。トリップ時はＯＮ／ＯＦＦの中間位置でハンドル１３が停止する。
回路遮断器１１には、負荷側の主回路端子よりも奥行方向の手前側で、且つ縦方向の他端側となる位置に、ブランクカバー１４があり、このブランクカバー１４を取り外すと、補助スイッチや警報スイッチといった付属の補助回路端子を取り付けられる。主回路端子と補助回路端子とは、奥行方向及び縦方向にずらして配列してあるため、個別に配線作業を行なうことができる。すなわち、主回路及び補助回路のどちらからでも配線作業を行なうことができるので、例えば補助回路に配線を接続したままでも主回路端子の増締めを行なえる。
【００１１】
図２は、回路遮断器への配線用接続器具の組み付け図である。
配線用接続器具１２は、端子モジュール１５と、端子カバー１６（外装部材）と、を備える。
電源側の組み付けは、主回路端子に端子モジュール１５を取り付け、それから端子カバー１６を取り付ける。一方、負荷側の組み付けは、スライダ１７に延長スライダ１８を取り付けると共に、主回路端子に端子モジュール１５を取り付け、それから端子カバー１６を取り付ける。
図３は、回路遮断器の側面図である。
回路遮断器１１には、奥行方向の奥側から見た下面に、縦方向の中央で幅方向の全体に及ぶ取付け凹部２１が形成されている。取付け凹部２１には、縦方向の一端側となる側面に、縦方向の他端側に突出する爪部２２が形成されている。
【００１２】
回路遮断器１１には、奥行方向の奥側となる下部のうち、取付け凹部２１よりも縦方向の他端側に、スライダ１７が摺動可能に保持されている。スライダ１７は、縦方向の一端側に付勢されており、外部からの操作がない状態では、縦方向における一端側の爪部２３が取付け凹部２１に突出し、且つ縦方向における他端側の操作部２４が回路遮断器１１の外方へ突出した位置にある。操作部２４には、マイナスドライバ等の工具を奥行方向に差し込むことができ（図４参照）、この工具を介して縦方向の他端側へと引き出すと、爪部２３が取付け凹部２１から退避する。
取付け凹部２１は、取付け面２５に固定されたフランジ付きのレール２６に嵌り合い、レール２６のフランジに対して爪部２２及び爪部２３が引っ掛かることで、回路遮断器１１が固定される。取り外すときには、操作部２４を介してスライダ１７を引き出し、爪部２３を退避させ、引っ掛かりを解除する。なお、レール２６への取り付けに限らず、回路遮断器１１に形成された取付け穴を用い、ねじ留めによって取付け面２５に取り付けてもよい。
【００１３】
図４は、負荷側における主回路端子の拡大図である。
主回路端子は、作業者の指による接触を防げるように、ケース体３１の内側に配置されたフィンガープロテクション構造とされている。また、配線時にねじが脱落しないねじアップ式を採用している。
ケース体３１には、縦方向の他端側から見た側面のうち、主回路端子の端子台に対応する位置に連通し、外側から電線を差し込める連通口３２が形成されている。また、奥行方向の手前側から見た上面のうち、ねじ端子３３の頭部上面に対応する位置に連通し、外側からプラスドライバ等の工具で締め付けたり緩めたりできる工具挿入穴である円形の連通口３４が形成されている。また、縦方向の他端側から見た側面のうち、連通口３２よりも奥行方向の手前側には、貫通孔３５が形成されている。
【００１４】
図５は、延長スライダの斜視図である。
図中の（ａ）は奥行方向の手前側から見た上面を示し、図中の（ｂ）は奥行方向の奥側から見た下面を示す。
延長スライダ１８には、縦方向の一端側に、奥行方向の奥側に突出し、スライダ１７の操作部２４に嵌り合う凸部４１が形成されている。また、縦方向の他端側には、操作部４２が形成されており、この操作部４２には、マイナスドライバ等の工具を奥行方向に差し込むことができる。したがって、スライダ１７の操作部２４に延長スライダ１８の凸部４１を嵌め込んで連結し、延長スライダ１８の操作部４２に工具を差し込み、縦方向の他端側へと引き出すと、これに連動してスライダ１７の爪部２３が取付け凹部２１から退避する。
延長スライダ１８には、奥行方向の手前側から見た上面に、縦方向に沿って延びたレール４３が形成されており、断面形状は略Ｔ字状である。
【００１５】
図６は、端子モジュールの斜視図である。
図中の（ａ）は組み付け前の状態を示し、図中の（ｂ）は組み付け後の状態を示す。
端子モジュール１５は、導体からなる端子板５１（導電端子部材）と、樹脂等の絶縁体からなる端子ブロック５２（絶縁端子部材）と、導体からなる二つの板ばね５３（弾性部材）と、を備える。
組み付けは、端子ブロック５２に対して幅方向の一端側及び他端側から一つずつ板ばね５３を嵌め込み、それから端子板５１に対して奥行方向の手前側から端子ブロック５２を嵌め込む。
【００１６】
端子板５１は、例えばプレス加工によって成形されており、縦方向及び幅方向と略平行で、且つ連通口３２を介して主回路端子の端子台に差し込み可能な差込片６１と、他端片６５（押付面）を一端に有し、板ばねの基端部を支持する一端片６４（支持部）を他端に有するコ字状からなる板ばね接続部とを備える。差込片６１には、縦方向の一端側に、主回路端子のねじ端子３３が挿通可能な丸穴６２が形成され、縦方向の他端側には、幅方向の両端側から奥行方向の手前側に立ち上がり、縦方向及び奥行方向と略平行な一対の側片６３が形成されている。各側片６３には、夫々、縦方向の一端側に、幅方向及び奥行方向と略平行な一端片６４が形成され、縦方向の他端側には、幅方向及び奥行方向と略平行な他端片６５が形成されており、側片６３、一端片６４，他端片６５とでコ字状からなる板ばね接続部が形成されている。一端片６４同士の間、及び他端片６５同士の間には、隙間がある。一端片６４及び他端片６５は、縦方向に対向しており、夫々、対向する側を内周面とする。
【００１７】
端子ブロック５２には、奥行方向の奥側において、縦方向の一端側に、幅方向及び奥行方向と略平行な背壁７１が形成され、幅方向の中央には、縦方向及び奥行方向と略平行な隔壁７２が形成されている。隔壁７２には、幅方向における一端側及び他端側の両面に、夫々、幅方向の外側に向かって突出し、板ばね５３を保持可能な突出部７３が形成されており、突出部７３は、板ばね５３の形状及び可動範囲に応じて形成されている。各突出部７３に一つずつ板ばね５３が嵌め込まれる。
端子ブロック５２は、奥行方向の奥側が、側片６３、一端片６４、及び他端片６５に対して奥行方向の手前側から嵌め込まれる。このとき、背壁７１と板ばね５３との間に一端片６４が差し込まれ、一対の他端片６５同士の間に隔壁７２における縦方向の他端側が差し込まれる。
【００１８】
端子ブロック５２には、隔壁７２よりも幅方向の一端側で且つ縦方向の他端側に、及び隔壁７２よりも幅方向の他端側で且つ縦方向の他端側に、夫々、奥行方向に貫通した電線差込部である円形の電線差込孔７４が形成されている。
端子ブロック５２には、縦方向の他端側から見た側面のうち、奥行方向の手前側の縁部に、各電線差込孔７４の夫々に連通する切欠７５（第一の切欠）が形成されている。
端子ブロック５２には、隔壁７２よりも幅方向の一端側で且つ電線差込孔７４よりも縦方向の一端側に、及び隔壁７２よりも幅方向の他端側で且つ電線差込孔７４よりも縦方向の一端側に、夫々、奥行方向に貫通した工具差込部である略四角形の工具差込孔７６が形成されている。工具差込孔７６に差し込まれる工具は、例えばマイナスドライバである。
【００１９】
帯状の板ばね５３は、固定側の基端部８１と、撓みを許容する湾曲部８２と、可動側の先端部８３と、を備え、例えばプレス加工によって成形される。
基端部８１は、幅方向及び奥行方向と略平行で、幅方向から見て、奥行方向の奥側から手前側に向かって直線的に形成されている。
湾曲部８２は、幅方向と略平行で、幅方向から見て、縦方向の一端側へ且つ奥行方向の手前側へと向かってから略Ｕ字状に湾曲し、縦方向の他端側へ且つ奥行方向の奥側へと向かって形成されている。
先端部８３は、幅方向と略平行で、幅方向から見て、縦方向の他端側へ且つ奥行方向の奥側へと向かって直線的に形成されている。
【００２０】
図７は、別角度から見た端子板の斜視図である。
端子板５１の他端片６５には、内周面のうち奥行方向の手前側に、隆起部６６が幅方向に沿って直線状に形成されている。隆起部６６は、例えばプレスによるビード加工によって成形される。
端子モジュール１５を組み付けると、板ばね５３の基端部８１は、端子板５１の一端片６４の支持部によって支持され、基端部８１の外周面が一端片６４の内周面に接触する。板ばね５３は、先端部８３が奥行方向の奥側に僅かに押圧（圧縮）された状態で、端子板５１のコ字状の一端片６４と他端片６５との間に配置されており、先端が他端片６５における内周面のうち隆起部６６の真下に接触する（図１０参照）。すなわち、板ばね５３の先端部８３は、他端片６５の内周面（押付面）に向かって付勢されている。したがって、端子板５１に対して端子ブロック５２を嵌め込む際には、先端部８３を奥行方向の奥側に押圧しながら行なう。規定の位置まで嵌め込まれ、先端部８３の押圧を解除すると、先端が隆起部６６の真下に接触する位置まで復元する。
【００２１】
図８は、別角度から見た端子ブロックの斜視図である。
図中の（ａ）は縦方向の一端側、幅方向の一端側、及び奥行方向の手前側から見た状態を示し、図中の（ｂ）は縦方向の一端側、幅方向の他端側、及び奥行方向の奥側から見た状態を示す。
端子ブロック５２には、幅方向の一端側から見た側面のうち縦方向の一端側に、一つの突起７７が形成され、幅方向の他端側から見た側面のうち縦方向の一端側には、二つの突起７７が形成されている。各突起７７は、縦方向の一端側に向かうほど幅方向の外側に出っ張る傾斜面を有する。また、縦方向の一端側から見た側面のうち、奥行方向の手前側には、鉤状の突起７８が形成されている。突起７８は、ケース体３１の貫通孔３５に挿入可能であり、突起７８を貫通孔３５に挿入した状態で、端子モジュール１５ごと奥行方向の奥側に引き下げると、鉤状の突起７８が引っ掛かり抜け止めになる。端子モジュール１５ごと奥行方向の手前側へ持ち上げると、突起７８の引っ掛かりが解除され、引き抜きが許容される。また、隔壁７２には、奥行方向の奥側から見た下面に、一つの突起７９が形成されている。突起７９は、縦方向の一端側に向かうほど奥行方向の奥側に出っ張る傾斜面を有する。
【００２２】
図９は、端子カバーの斜視図である。
図中の（ａ）は縦方向の一端側、幅方向の一端側、及び奥行方向の手前側から見た状態を示し、図中の（ｂ）は縦方向の一端側、幅方向の一端側、及び奥行方向の奥側から見た状態を示す。
端子カバー１６は、樹脂等の絶縁体からなり、縦方向の一端側だけが開放された箱状に形成されており、主回路端子の端子台に差し込まれた端子モジュール１５に対して、縦方向の他端側から嵌め込まれることで、端子モジュール１５の全周を覆う。また、奥行方向の手前側から見た上面は、縦方向の一端側へと延長されており、主回路端子におけるねじ端子３３の上面を覆う。
【００２３】
端子カバー１６には、奥行方向の奥側から見た下面に、縦方向に沿って延びた凹溝９１が形成されており、断面形状は略Ｔ字状である。凹溝９１は、延長スライダ１８のレール４３に対して摺動可能な状態で嵌り合うことで、縦方向に沿った端子カバー１６の進退を許容する。
端子カバー１６には、奥行方向の手前側から見た上面のうち、各電線差込孔７４に対応する位置に、円形の電線差込開口９２が形成されている。また、縦方向の他端側から見た側面のうち、切欠７５に対応する位置には、切欠９３（第二の切欠）が形成されている。また、奥行方向の手前側から見た上面のうち、各工具差込孔７６に対応する位置には、略四角形の工具差込開口９４が形成されている。
【００２４】
端子カバー１６には、幅方向の一端側から見た側面のうち縦方向の一端側に、一つの貫通孔９５が形成され、幅方向の他端側から見た側面のうち縦方向の一端側には、二つの貫通孔９５が形成されている。貫通孔９５は、夫々、端子ブロック５２の突起７７に対してスナップフィットによって嵌り合う。また、端子カバー１６の内部を奥行方向の手前側から見た床面には、一つの凹部９６が形成されている。凹部９６は、端子ブロック５２の突起７９に対してスナップフィットによって嵌り合う。また、端子カバー１６の内部を奥行方向の奥側から見た天井面のうち、縦方向の一端側には、電気機器側のねじ端子の工具挿入穴に係合される係合部である一つの突起９７が形成されている。突起９７は、縦方向の他端側に向かうほど奥行方向の奥側に出っ張る傾斜面を有し、ケース体３１の連通口３４に対してスナップフィットによって嵌り合う。
【００２５】
端子モジュール１５の組み付けは、端子板５１の差込片６１を、連通口３２を介して主回路端子の端子台に差し込むと共に、端子ブロック５２の突起７８を、ケース体３１の貫通孔３５に挿入する。この状態で、ねじ端子３３を締め付けると、主回路端子及びケース体３１に対して端子モジュール１５が固定される。
一方、端子カバー１６の組み付けは、負荷側の場合、端子カバー１６の凹溝９１を、延長スライダ１８のレール４３に嵌め合わせ、端子カバー１６を縦方向の一端側へと押し込む。そして、端子カバー１６の貫通孔９５と端子ブロック５２の突起７７とが嵌り合い、端子カバー１６の凹部９６と端子ブロック５２の突起７９とが嵌り合い、且つ端子カバー１６の突起９７とケース体３１の連通口３４とが嵌り合う。これにより、端子モジュール１５及びケース体３１に対して端子カバー１６が固定される。電源側の場合は、延長スライダ１８が存在しないので、凹溝９１とレール４３との嵌め合わせが省略される。
【００２６】
次に、電線の差し込み及び引き抜きについて説明する。
図１０は、配線用接続器具の断面図である。
ここでは、縦方向及び奥行方向と平行で、電線差込孔７４及び工具差込孔７６を通る断面を示す。
電線差込孔７４には、奥行方向の奥側に、奥側に向かうほど小径となるテーパ面８０が形成されている。
電線差込孔７４及び工具差込孔７６は、夫々、板ばね５３の先端部８３に向かって形成されている。したがって、板ばね５３の先端部８３は、工具差込孔７６における奥行方向の奥側、及び電線差込孔７４における奥行方向の奥側を順に通過し、先端が隆起部６６の真下に接触している。
【００２７】
図１１は、配線用接続器具の断面図である（電線差し込み後）。
電線１０１の先端には、カラー１０２の付いたフェルール１０３が圧着されている。フェルール１０３の先端側には、先端に向かうほど小径となるテーパ面１０４が形成されている。圧着後のフェルール１０３は、断面形状が例えば略四角形である。
電線差込開口９２及び電線差込孔７４にフェルール１０３が差し込まれると、フェルール１０３に押されて板ばね５３の主に湾曲部８２が弾性変形する。そして、先端部８３の先端と他端片６５の内周面との間にフェルール１０３が差し込まれると、板ばね５３の弾性力によってフェルール１０３が他端片６５の内周面に押し付けられ、且つ引き抜き方向の変位が抑制される。
【００２８】
フェルール１０３の差し込みは、カラー１０２のテーパ面１０４が電線差込孔７４のテーパ面８０に当接した位置で停止する。フェルール１０３の差し込みが完了した状態で、カラー１０２の基端位置が切欠７５及び９３の下端位置よりも上側にあるように、切欠７５及び９３の深さが設定されている。
こうして、フェルール１０３は、他端片６５に電気的に接続されると共に、板ばね５３を介して一端片６４に電気的に接続されており、その結果、主回路端子に対して電気的に接続される。
図１２は、配線用接続器具の断面図である（工具差し込み後）。
工具１０５には、例えばマイナスドライバを使用する。
工具差込開口９４及び工具差込孔７６に工具１０５が差し込まれると、工具１０５に押されて板ばね５３の主に湾曲部８２が弾性変形し、板ばね５３の弾性力から解放されたときに、フェルール１０３の引き抜きが許容される。
【００２９】
《作用》
次に実施形態の主要な作用について説明する。
回路遮断器１１のねじ端子３３に、直接、電線１０１を挟み込むこともできるが、配線を増やしたり入れ替えたりする必要が生じると、その度にねじ端子３３を緩め再び締め付けなければならず、簡便さの点で改善の余地があった。また、ねじ端子３３の締め忘れや締め付けトルクの不足が生じる可能性もあった。
そこで、差し込み方式で配線を接続可能な配線用接続器具１２を、ねじ端子３３に取り付けている。すなわち、端子板５１をねじ端子３３に締め付ければ、その後は、端子カバー１６の電線差込開口９２を介して端子ブロック５２の電線差込孔７４にフェルール１０３を差し込むだけで、ねじ端子３３に電線１０１を電気的に接続することができる。したがって、この配線用接続器具１２を追加するだけで、ねじ端子３３への接続を差し込み方式に変換でき、電線接続の作業性を向上させることができる。
【００３０】
電線差込孔７４にフェルール１０３が差し込まれると、フェルール１０３に押されて板ばね５３が弾性変形する。そして、先端部８３の先端と他端片６５の内周面との間にフェルール１０３が差し込まれると、板ばね５３の弾性力によってフェルール１０３が他端片６５の内周面に押し付けられ、且つ引き抜き方向の変位が抑制される。したがって、電線１０１の緩みや抜け落ちを抑制できる。
一方、工具差込孔７６に工具１０５が差し込まれると、工具１０５に押されて板ばね５３が弾性変形し、板ばね５３の弾性力からフェルール１０３が解放される。このように、工具１０５を用いることで、フェルール１０３を容易に引き抜くことができる。
【００３１】
端子ブロック５２には、電線差込孔７４にフェルール１０３を差し込んだ状態で、カラー１０２を軸直角方向から目視可能な切欠７５が形成され、端子カバー１６にも、切欠７５に対応する位置に切欠９３が形成されている。これにより、カラー１０２を容易に確認することができ、誤配線を抑制することができる。
端子カバー１６は、端子モジュール１５の全周を覆っているので、端子板５１への接触を確実に防ぐことができる。端子カバー１６は、奥行方向の手前側から見た上面が、縦方向の一端側へと延長されており、主回路端子におけるねじ端子３３の上面を覆っている。これにより、ねじ端子３３への接触をより確実に防ぐことができる。
端子ブロック５２や端子カバー１６は、樹脂等の絶縁体によって成形されるため、スナップフィット等による固定が容易である。
【００３２】
ケース体３１と端子ブロック５２とを、スナップフィットによって嵌め合わせているので、端子ブロック５２のがたつきを抑制できる。また、端子ブロック５２と端子カバー１６とを、スナップフィットによって嵌め合わせているので、端子カバー１６のがたつきを抑制できる。
一つの配線用接続器具１２につき、二本の電線を差し込めるので、分岐配線や渡り配線を容易に行なうことができる。特に電源側の主回路端子では、渡り配線を行なうことが多いので、配線作業が容易となる。
負荷側には、延長スライダ１８を設けているので、配線用接続器具１２を取り付けた状態でも、任意にスライダ１７を引き出すことができ、レール２６に対する回路遮断器１１の着脱を行なうことができる。
【００３３】
《変形例》
上記の実施形態では、二つの電線差込孔７４を幅方向に沿って配列しているが、これに限定されるものではなく、例えば何れか一方を縦方向の一端側に僅かにずらし、千鳥状に配列してもよい。これによれば、各電線差込孔７４の拡径要求にも容易に対応することができる。また、一つの配線用接続器具１２につき、二つの電線差込孔７４を形成しているが、これに限定されるものではなく、三つ以上の電線差込孔７４を形成してもよい。
また、一極型の回路遮断器について説明したが、これに限定されるものではなく、二極型や三極型にも適用できる。
また、回路遮断器１１への適用について説明したが、これに限定されるものではない。他にも、電気機器である電磁接触器や、付属装置である端子台式の補助スイッチ、また端子台式の警報スイッチ等にも適用できる。要は、ねじ端子によって電線を挟み込むものであれば、他の如何なる電気機器や付属装置にも適用可能である。
【００３４】
以上、限られた数の実施形態を参照しながら説明したが、権利範囲はそれらに限定されるものではなく、上記の開示に基づく実施形態の改変は、当業者にとって自明のことである。
【符号の説明】
【００３５】
１１…回路遮断器、１２…配線用接続器具、１３…ハンドル、１４…ブランクカバー、１５…端子モジュール、１６…端子カバー、１７…スライダ、１８…延長スライダ、２１…取付け凹部、２２…爪部、２３…爪部、２４…操作部、２５…取付け面、２６…レール、３１…ケース体、３２…連通口、３３…ねじ端子、３４…連通口、３５…貫通孔、４１…凸部、４２…操作部、４３…レール、５１…端子板、５２…端子ブロック、６１…差込片、６２…丸穴、６３…側片、６４…一端片、６５…他端片、６６…隆起部、７１…背壁、７２…隔壁、７３…突出部、７４…電線差込孔、７５…切欠、７６…工具差込孔、７７…突起、７８…突起、７９…突起、８０…テーパ面、８１…基端部、８２…湾曲部、８３…先端部、９１…凹溝、９２…電線差込開口、９３…切欠、９４…工具差込開口、９５…貫通孔、９６…凹部、９７…突起、１０１…電線、１０２…カラー、１０３…フェルール、１０４…テーパ面、１０５…工具
【図１】
2018156885.tif 000003
【図２】
2018156885.tif 000004
【図３】
2018156885.tif 000005
【図４】
2018156885.tif 000006
【図５】
2018156885.tif 000007
【図６】
2018156885.tif 000008
【図７】
2018156885.tif 000009
【図８】
2018156885.tif 000010
【図９】
2018156885.tif 000011
【図１０】
2018156885.tif 000012
【図１１】
2018156885.tif 000013
【図１２】
2018156885.tif 000014